(57)【要約】【課題】主に、ワイパーヘッドの側縁部に集中的に付着しているゴミを手作業で取り除く必要をなくすことができるようにする。【解決手段】床面１上に載置可能な本体ケーシング１１の内部に、吸引装置１２と、吸引装置１２から延びる吸引風路１３とを収容設置する。  本体ケーシング１１の床面１との接触部分に、吸引風路１３の先端部に接続される吸引口１４を設ける。  吸引口１４を、フローリングワイパー２のワイパーヘッド２ｂの側縁部２ｂ１を差込可能なスリット状に形成する。  更に、吸引口１４の内部に、吸引装置１２を作動させる作動スイッチ２１を設けるようにしても良い。【選択図】図２
2019088360.tif 000002
【特許請求の範囲】
【請求項１】
床面上に載置可能な本体ケーシングの内部に、吸引装置と、該吸引装置から延びる吸引風路とを収容設置し、
前記本体ケーシングの床面との接触部分に、前記吸引風路の先端部に接続される吸引口を設けると共に、
該吸引口が、フローリングワイパーのワイパーヘッドの側縁部を差込可能なスリット状であることを特徴とする電動チリトリ。
【請求項２】
請求項１に記載の電動チリトリにおいて、
前記吸引口の内部に、前記吸引装置を作動させる作動スイッチが設けられていることを特徴とする電動チリトリ。
【請求項３】
請求項１または請求項２に記載の電動チリトリにおいて、
前記吸引口の内部に、前記吸引口から前記吸引風路への取込口へ向かって縮小する漸縮形状部が設けられていることを特徴とする電動チリトリ。
【請求項４】
請求項１ないし請求項３のいずれか１項に記載の電動チリトリにおいて、
前記吸引口の側部に、前記ワイパーヘッドの側縁部に付着したゴミを掻き取る掻取部が設けられていることを特徴とする電動チリトリ。
【請求項５】
請求項１ないし請求項４のいずれか１項に記載の電動チリトリにおいて、
前記吸引風路の途中に、ゴミ容器を着脱可能に収容する容器収容部が設けられ、
前記本体ケーシングに前記容器収容部を露出させる蓋部が開閉可能に設けられ、
該蓋部と前記容器収容部との間に、シール部材と、前記蓋部を閉じた時に前記シール部材が圧着するシール面とを有するシール部を備えたことを特徴とする電動チリトリ。
【発明の詳細な説明】
【技術分野】
【０００１】
この発明は、電動チリトリに関するものである。
【背景技術】
【０００２】
例えば、フローリング床を清掃する際に、掃除機の代わりにフローリングワイパーを用いることがある。フローリングワイパーは、柄の付いたワイパーヘッドに清掃シートを取付けて使うようにした手軽な床清掃具であり、柄を持ってワイパーヘッドを床面に沿うように動かすことで、ワイパーヘッドに取付けた清掃シートで床面を払拭すると共に、清掃シートに床面上のゴミを付着させて捕集するようになっている。
【０００３】
清掃シートは、ある程度汚れたら適宜交換することができるが、床清掃によってワイパーヘッドに付着したゴミを取ることで、清掃シートの交換時期を延ばすことができる。ワイパーヘッドから取ったゴミは、ゴミ箱やチリトリ（例えば、特許文献１参照）などにそのまま捨てることになる。
【先行技術文献】
【特許文献】
【０００４】
【特許文献１】特開２００２−３６０４９１号公報
【発明の概要】
【発明が解決しようとする課題】
【０００５】
しかしながら、床清掃後にワイパーヘッドから付着したゴミを手作業で取り除くのは、手間が掛かると共に煩わしい作業であった。
【０００６】
そこで、本発明は、主に、上記した問題点を解決することを目的としている。
【課題を解決するための手段】
【０００７】
上記課題を解決するために、本発明は、
床面上に載置可能な本体ケーシングの内部に、吸引装置と、該吸引装置から延びる吸引風路とを収容設置し、
前記本体ケーシングの床面との接触部分に、前記吸引風路の先端部に接続される吸引口を設けると共に、
該吸引口が、フローリングワイパーのワイパーヘッドの側縁部を差込可能なスリット状であることを特徴とする。
【発明の効果】
【０００８】
本発明によれば、上記構成によって、ワイパーヘッドの側縁部に集中的に付着しているゴミを手作業で取り除く必要をなくすことなどができる。
【図面の簡単な説明】
【０００９】
【図１】本実施の形態にかかる電動チリトリの使用状態を示す斜視図である。
【図２】図１の電動チリトリの全体斜視図である。
【図３】図２の電動チリトリの正面図である。
【図４】図２の電動チリトリの左側面図である。
【図５】本体ケーシングの容器収容部にゴミ容器セットする状態を示す斜視図である。
【図６】図５とは反対の方向から見た電動チリトリの容器収容部を示す斜視図である。
【図７】ゴミ容器の斜視図である。
【発明を実施するための形態】
【００１０】
以下、本実施の形態を、図面を用いて詳細に説明する。
図１〜図７は、この実施の形態を説明するためのものである。
【実施例１】
【００１１】
＜構成＞以下、この実施例の構成について説明する。
【００１２】
例えば、図１に示すように、フローリング床などの床面１を清掃する際に用いられているフローリングワイパー２を補助してより使い勝手を良くするために電動チリトリ３を設ける。フローリングワイパー２は、柄２ａの付いたワイパーヘッド２ｂに清掃シート４を取付けて使うようにした（電気を使わない）手軽な床清掃具である。フローリングワイパー２は、柄２ａを持ってワイパーヘッド２ｂを床面１に沿うように動かすことで、ワイパーヘッド２ｂに取付けた清掃シート４で床面１を払拭すると共に、清掃シート４に床面１上のゴミを付着させるなどして捕集するものである。
【００１３】
床清掃後には、ワイパーヘッド２ｂで集めたゴミを電動チリトリ３に吸い込ませて除去する。清掃シート４は、ある程度汚れたら適宜交換することができる。
【００１４】
ここで、フローリングワイパー２は、市販のものを適宜使用することができるが、電動チリトリ３に合わせた専用のものなどを用いるようにしても良い。ワイパーヘッド２ｂは、平面視ほぼ長方形状をして所要の厚みを有する薄板状の床払拭部材である。ワイパーヘッド２ｂは、その底面が床払拭面になっていると共に、上面のコーナー部などには清掃シート４のコーナー部を差し込んで保持するためのシート保持部が設けられている。清掃シート４は、床払拭面を覆うように下側からワイパーヘッド２ｂに巻き付けた後に、そのコーナー部をワイパーヘッド２ｂの上面に設けられたシート保持部へ差し込んで保持させるようにする。清掃シート４には、目的に応じて、ドライタイプのものやウェットタイプのものなど各種のものが存在している。
【００１５】
そして、電動チリトリ３を、以下のようなものとする。
【００１６】
（１）図２（〜図４）に示すように、床面１上に載置可能な本体ケーシング１１の内部に、吸引装置１２と、吸引装置１２から延びる吸引風路１３とを収容設置する。
そして、本体ケーシング１１の床面１との接触部分に、吸引風路１３の先端部に接続される吸引口１４を設ける。
更に、吸引口１４を、フローリングワイパー２のワイパーヘッド２ｂの側縁部２ｂ１（図１）を差込可能なスリット状に形成する（スリット状差込口）。
【００１７】
ここで、本体ケーシング１１は、基本的に床面１上に載置して使用するものとされるが、必ずしも床面１上に載置して使用する必要はなく、フローリングワイパー２によって払拭される面（被払拭面）の上であれば、例えば、台上に載置して使用しても良い。本体ケーシング１１は、樹脂製や金属製のものなどとされる。本体ケーシング１１は、有効な大きさの吸引口１４が形成できるのであれば、どのような形状としても良いが、この実施例では、本体ケーシング１１を、底面１１ａと上面１１ｂと４つの側面１１ｃ〜１１ｆとを有する筐体としている。
【００１８】
この際、本体ケーシング１１の上面１１ｂを、ワイパーヘッド２ｂとほぼ同じかそれよりも一回り程度大きい相似形状にすることで、フローリングワイパー２を本体ケーシング１１の上に乗せて保管できるようにしても良い。
【００１９】
そして、本体ケーシング１１の４つの側面１１ｃ〜１１ｆは、幅の広い一対の長辺側の側面１１ｃ，１１ｄと、幅の狭い一対の短辺側の側面１１ｅ，１１ｆと、を有するものとなっている。長辺側の側面１１ｃ，１１ｄは、ワイパーヘッド２ｂの長辺とほぼ同じかそれよりも若干長く、短辺側の側面１１ｅ，１１ｆは、ワイパーヘッド２ｂの短辺とほぼ同じかそれよりも若干長くなっている。但し、本体ケーシング１１の４つの側面１１ｃ〜１１ｆの長さは、上記に限るものではない。
【００２０】
この際、４つの側面１１ｃ〜１１ｆに対し、上面１１ｂよりも所要量だけ上へ張り出す周壁部１１ｇを設けることで、フローリングワイパー２を周壁部１１ｇ内に安定して収容保持することができるようにしても良い。また、周壁部１１ｇの内部にトレーを着脱可能に設置すれば、トレーによって本体ケーシング１１の上面１１ｂを保護すると共に、電動チリトリ３の外観品質を向上することができる。また、トレーが汚れた場合などには、本体ケーシング１１の上面１１ｂからトレーを取り外して洗うことなどもできるようになる。
【００２１】
吸引装置１２は、ファン１２ａと、ファン１２ａを駆動するモータ１２ｂとを有するものとされる。ファン１２ａとモータ１２ｂは一体化してユニット化することができるが、吸引装置１２の構造は、これに限るものではない。吸引装置１２は、本体ケーシング１１内に設置されると共に、本体ケーシング１１の吸引装置１２を設けた部分の側面１１ｃ〜１１ｆには排気口１５が設けられる。排気口１５は、本体ケーシング１１のどの側面１１ｃ〜１１ｆに設けるようにしても良いが、短辺側の側面１１ｅ，１１ｆのどちらか一方（例えば、側面１１ｆ）に設けるのが好ましい。
【００２２】
吸引風路１３は、ほぼ横へ延びると共に、一端側が吸引装置１２の吸入側に接続され、他端側（先端側）が本体ケーシング１１の吸引口１４に接続される。吸引風路１３は、本体ケーシング１１の側面１１ｃ〜１１ｆなどに沿って配設される。この実施例では、例えば、（吸引装置１２とは反対側となる）短辺側の側面１１ｅに沿って配設される風路部１３ａと、（吸引口１４が設けられる）長辺側の側面１１ｃに沿って配設される風路部１３ｂとを有している。吸引風路１３は、丸断面などとすることができるが、本体ケーシング１１内に配設した時に、より大きな風路断面を確保できるように（縦長の）矩形断面などとすることもできる。吸引風路１３の他端側には、吸引口１４と接続するための屈曲部１３ｃ（図３）を有するようにしても良い。この実施例では、屈曲部１３ｃは吸引口１４へ向かって下向きに屈曲されている。
【００２３】
なお、吸引風路１３は、屈曲部１３ｃを除き、全体としてほぼ水平に配設しても良いが、例えば、吸引口１４から吸引装置１２側へ向けて下り勾配となる傾斜部を少なくとも一部（例えば、風路部１３ｂ）に設けることで、吸い込んだゴミの吸引口１４への逆流を防止することが可能になる。また、吸引風路１３は、全体をほぼ均一断面に形成しても良いが、例えば、吸引装置１２の側の部分（風路部１３ａ）の断面を吸引口１４の側の部分（風路部１３ｂ）の断面よりも大きくすることで、吸引風路１３のメンテナンスを吸引装置１２の側から行い易くすることができる。
【００２４】
本体ケーシング１１の床面１との接触部分は、本体ケーシング１１の側面１１ｃ〜１１ｆの下辺部周辺のことである。
【００２５】
吸引口１４は、フローリングワイパー２で集めたゴミを吸引するための開口部分である。吸引口１４は、ワイパーヘッド２ｂの側縁部２ｂ１を床面１に沿って差込むのに丁度良い大きさや形状や深さ（奥行き）に形成される。例えば、吸引口１４は、ワイパーヘッド２ｂの長辺側の側縁部２ｂ１とほぼ同じかそれよりも若干長い長さ寸法と、ワイパーヘッド２ｂの（側縁部２ｂ１における最大部分の）厚みとほぼ同じかそれよりも若干高い高さ寸法を有して横へ細長く延びるスリットとされている。吸引口１４は、ワイパーヘッド２ｂの長辺側の側縁部２ｂ１を所要量差し込める奥行きに形成される。この実施例では、吸引口１４は、本体ケーシング１１の長辺側の側面１１ｃ，１１ｄのうちの１つ（この実施例では、側面１１ｃとなっている）の下辺部に沿って設けられている。
【００２６】
（２）吸引口１４の内部に、吸引装置１２を作動させる作動スイッチ２１を設けるようにしても良い。
【００２７】
ここで、作動スイッチ２１は、ワイパーヘッド２ｂの長辺側の側縁部２ｂ１を吸引口１４の内部へ差し込むとオンになり、ワイパーヘッド２ｂを吸引口１４から外へ出すとオフになるように構成できれば、どのようなものでも良い。作動スイッチ２１には、光センサースイッチや機械的なプッシュスイッチなどを用いることができる。
【００２８】
作動スイッチ２１は、吸引口１４の内部であればどこに設置しても良いが、吸引口１４から吸引風路１３へのゴミの取込口２２に対して上下方向に並ぶ位置に設置するのが最も好ましい。この実施例では、取込口２２は、吸引風路１３の先端部（の屈曲部１３ｃの下端部）と吸引口１４との接続部分となっており、取込口２２は、吸引口１４の幅中央部の上側の位置に設けられているので、作動スイッチ２１は、吸引口１４における幅中央部の位置に設けられることになる。
【００２９】
この際、作動スイッチ２１は、取込口２２の下側に設置しても良い。この場合、作動スイッチ２１は、例えば、取込口２２の真下に位置する吸引口１４の底面１４ａから上方へ突出するプッシュスイッチなどとすることができる。また、作動スイッチ２１は、吸引口１４の奥面から手前側へ突出するプッシュスイッチなどとすることができる。更に、作動スイッチ２１は、取込口２２の周辺から下へ延びるように吊り下げ支持されたレバースイッチなどとしても良い。
【００３０】
なお、作動スイッチ２１は、不用意に手などが触れないように、吸引口１４の手前側の位置よりも、奥寄りの位置に設けるのが好ましい。この実施例では、作動スイッチ２１としてのプッシュスイッチは、吸引口１４の底面１４ａの奥行き方向のほぼ中間部に設けるようにしている。
【００３１】
なお、本体ケーシング１１には、作動スイッチ２１の他に、電源スイッチ２５を設けることができる。電源スイッチ２５は、オンにした時だけ作動スイッチ２１を使えるようにするための主電源である。但し、構造的には、作動スイッチ２１を設けずに電源スイッチ２５だけを設けるようにしても良い。この実施例では、電源スイッチ２５は、排気口１５が設けられた本体ケーシング１１の短辺側の側面１１ｆに設けている。また、電源コード２６は、床面１への設置時に邪魔にならないように、本体ケーシング１１の短辺側の側面１１ｅ，１１ｆのどちらからでも引き出せるようにしている。
【００３２】
（３）吸引口１４の内部に、吸引口１４から吸引風路１３への取込口２２へ向かって縮小する漸縮形状部３１を設けるようにしても良い。
【００３３】
ここで、漸縮形状部３１は、吸引口１４の内部の少なくとも一部に対して設けることができる。この実施例では、吸引口１４の底面１４ａを、奥側へ進むに従って上がり勾配となる傾斜面３１ａとしている。この傾斜面３１ａは、通常のチリトリの底面とほぼ同じ角度になっている。また、吸引口１４の上面を、取込口２２のある幅中央部へ進むに従って上がり勾配となる左右の傾斜面３１ｂ（図３）としている。なお、吸引口１４の奥面や左右の側面については、ほぼ垂直な立壁のままとしているが、必要な場合には漸縮形状部３１を構成する傾斜面などにしても良い。
【００３４】
（４）吸引口１４の側部に、ワイパーヘッド２ｂの側縁部２ｂ１に付着したゴミを掻き取る掻取部４１を設けるようにしても良い。
【００３５】
ここで、掻取部４１は、本体ケーシング１１の短辺側の側面１１ｅ，１１ｆの下部における吸引口１４の側部を構成する部分をそのまま利用して設けている。本体ケーシング１１の短辺側の側面１１ｅ，１１ｆの下部を掻取部４１として残すことで、更に、吸引口１４の両側部の密閉性を高めてゴミの吸引力を高めることが可能になる。
【００３６】
なお、上記とは反対に、本体ケーシング１１の短辺側の側面１１ｅ，１１ｆの下部を切り欠いて吸引口１４の両側部を開放する（掻取部４１をなくす）ことで、例えば、吸引口１４よりも幅の広いワイパーヘッド２ｂを吸引口１４へ差し込んで使用することが可能になる。よって、吸引口１４の両側部には、掻取部４１を折り取ることができるようにするための切込部などを予め入れておくようにしても良い。
【００３７】
（５）図５（〜図７）に示すように、吸引風路１３の途中に、ゴミ容器５１を着脱可能に収容する容器収容部５２を設けるようにしても良い。
そして、本体ケーシング１１に容器収容部５２を露出させる蓋部５３を開閉可能に設けても良い。
更に、蓋部５３と容器収容部５２との間に、シール部材５４と、蓋部５３を閉じた時にシール部材５４が圧着するシール面５５とを有するシール部５６を備えるようにしても良い。
【００３８】
ここで、ゴミ容器５１は、ダストケースや、ゴミパックなどとすることができる。ダストケースは樹脂製などの箱などのことである。ゴミパックは、図７に示すような通気性を有する紙製などの袋のことである。
【００３９】
容器収容部５２は、ゴミ容器５１が入る大きさの空間とされる。容器収容部５２は、吸引装置１２と隣接するように本体ケーシング１１の内部に配置されて、吸引装置１２と吸引風路１３の風路部１３ａの端部との間に介在される。容器収容部５２の一側には、吸引装置１２の吸入側に接続される吸入口５２ａ（図６）が設けられ、容器収容部５２の他側には、吸引風路１３の風路部１３ａの端部に対する接続口５２ｂ（図５）が設けられる。接続口５２ｂは、例えば、ゴミパックの入口部の形状に合うように丸断面などとされている。また、風路部１３ａは、ゴミパックの入口部とほぼ同じ高さ（本体ケーシング１１のほぼ中間の高さ）に設置するのが好ましい。
【００４０】
蓋部５３は、本体ケーシング１１の上面１１ｂなどに設けられる。蓋部５３は、例えば、本体ケーシング１１の上面１１ｂに設けた開口部分にヒンジ部などを中心として上下方向で且つ吸引装置１２の側へ開くように取付けられる。蓋部５３と本体ケーシング１１の開口部分との間には、ヒンジ部と反対の側に、爪部と爪掛り部とを有するロック部が設けられる。但し、蓋部５３の構成や開閉方向などについては、上記に限るものではない。
【００４１】
シール部材５４は、本体ケーシング１１の上面１１ｂに設けた開口部分と蓋部５３とのどちらか一方に設けられ、シール面５５は、開口部分と蓋部５３との他方に設けられる。この実施例では、シール部材５４を蓋部５３に設けると共に、シール面５５を本体ケーシング１１の開口部分に設けている。
【００４２】
この際、シール部材５４を蓋部５３の内面側から突設された環状のリブ５３ａの先端部に設けると共に、シール面５５を本体ケーシング１１の開口部分の奥側に設けた、リブ５３ａの長さと等しい深さを有する段差面などとしても良い。このように、シール部５６を本体ケーシング１１の上面１１ｂよりも奥側の深い位置に設けることにより、蓋部５３の剛性を上げると共に、シール部５６による密閉性を向上することができる。
【００４３】
＜作用＞以下、この実施例の作用について説明する。
【００４４】
フローリング床を、フローリングワイパー２を用いて清掃する。フローリングワイパー２は、柄２ａを持ってワイパーヘッド２ｂを床面１に沿うように動かすことで、ワイパーヘッド２ｂに取付けた清掃シート４で床面１を払拭することができると共に、清掃シート４に床面１上のゴミを付着させて捕集することができる。
【００４５】
床清掃後に、清掃シート４には、ワイパーヘッド２ｂの側縁部２ｂ１の部分などにゴミが集中的に付着されることになり、また、清掃シート４に付着しないようなゴミも、ワイパーヘッド２ｂの側縁部２ｂ１の周辺に集められる。この清掃シート４の側縁部２ｂ１に付着したゴミとワイパーヘッド２ｂの側縁部２ｂ１周辺に集められたゴミとを捨てることで床清掃は終了となる。清掃シート４は、ある程度汚れたら適宜交換することができるが、付着したゴミを取ることで交換時期を延ばすことが可能である。
【００４６】
この際、ゴミは、ワイパーヘッド２ｂの床払拭面よりもワイパーヘッド２ｂの側縁部２ｂ１に対して多く付着するため、床清掃後に、ワイパーヘッド２ｂの側縁部２ｂ１に集中的に付着しているゴミを手作業で取り除いて捨てることになるが、この作業は煩わしいものである。
【００４７】
そこで、この実施例では、フローリングワイパー２と組み合わせて使用するのに適した電動チリトリ３を設けて、フローリングワイパー２に付着したゴミを取って捨てる作業を容易且つ確実に行い得るようにした。
【００４８】
＜効果＞この実施例の電動チリトリ３によれば、以下のような効果を得ることができる。
【００４９】
（効果１）電動チリトリ３は、基本的に床面１上に置いて使うものとなっており、フローリングワイパー２などの床清掃具で集めたゴミを床面１に沿ってそのまま吸引口１４へ近付けて吸引装置１２を作動させることにより、吸引口１４から本体ケーシング１１内へゴミを一気に吸い込ませることができる。
【００５０】
この際、電動チリトリ３の吸引口１４を、フローリングワイパー２のワイパーヘッド２ｂの側縁部２ｂ１を差込可能なスリット状にした。よって、吸引口１４がワイパーヘッド２ｂの側縁部２ｂ１を差込むのに適した形になっているため、ワイパーヘッド２ｂの側縁部２ｂ１に付着したゴミや、ワイパーヘッド２ｂの側縁部２ｂ１周辺のゴミなどを効率良く確実に吸い込ませて自動的に除去することができる。
【００５１】
よって、フローリングワイパー２での床清掃後にゴミを取り残すことなくきれいに捨てることができると共に、床清掃後に、ワイパーヘッド２ｂの側縁部２ｂ１に集中的に付着しているゴミをワイパーヘッド２ｂの側縁部２ｂ１から手作業で除去するなどの手間をなくすことができる。そして、ワイパーヘッド２ｂに取付けた清掃シート４に付着したゴミを効率的に取り除くことができるので、清掃シート４を長く使用することができて経済的である。また、電動チリトリ３を用いることで、清掃シート４を、ゴミが付着していないきれいな状態に保てるので、フローリングワイパー２による床清掃の効果を高めることができる。
【００５２】
また、吸引口１４をワイパーヘッド２ｂの側縁部２ｂ１を差込むのに適した形とすることで、フローリングワイパー２のワイパーヘッド２ｂ以外では、電動チリトリ３が使えないように用途を制限して誤作動をなくすこともできる。
【００５３】
（効果２）吸引口１４の内部に作動スイッチ２１を設けるようにしても良い。これにより、吸引口１４にワイパーヘッド２ｂの側縁部２ｂ１を差込んだ時に、ワイパーヘッド２ｂの側縁部２ｂ１によって作動スイッチ２１が入ることで、吸引装置１２を自動的に作動させることができる。よって、吸引装置１２を作動させるために特別なスイッチ操作を行う手間をなくすことができ、利便性を高めることができる。また、作動スイッチ２１が、不用意に操作され難いように吸引口１４の内部の位置に設置されるので、誤作動を防止するのに効果的である。
【００５４】
この際、作動スイッチ２１を、吸引口１４から吸引風路１３への取込口２２に対して上下方向に並ぶ位置（特に下側）に設置することで、作動スイッチ２１と取込口２２との距離が短くなるため、作動スイッチ２１に引っ掛ったゴミなども強力且つ確実に取込口２２へと吸引除去することができるようになる。また、作動スイッチ２１を、例えば、取込口２２の周辺から下へ延びるように吊り下げ支持されたレバースイッチなどとすることで、作動スイッチ２１（レバースイッチ）自体をゴミの引っ掛りがない、または、ゴミの引っ掛りの少ないものにすることができる。
【００５５】
（効果３）吸引口１４の内部に漸縮形状部３１を設けるようにしても良い。これにより、吸引口１４の内部の真空度が、吸引口１４から吸引風路１３への取込口２２へ向かって高くなって行くようになるので、吸引口１４の内部へ入ったゴミを吸引風路１３から本体ケーシング１１内へ強力に吸い込むことができるようになる。
【００５６】
（効果４）吸引口１４の側部に掻取部４１を設けても良い。これにより、ワイパーヘッド２ｂの側縁部２ｂ１を掻取部４１に擦り付けることで、ワイパーヘッド２ｂの側縁部２ｂ１に付着したゴミを掻取部４１で物理的に掻き取ることができる。よって、例えば、最初の吸引でワイパーヘッド２ｂの側縁部２ｂ１に集中的に付着したゴミが完全に吸い込まれずに残ってしまったような場合であっても、掻取部４１を用いることで、手を汚さずにワイパーヘッド２ｂの側縁部２ｂ１から強制的に付着したゴミを掻き取ることができるので、最終的に吸引口１４に吸い込ませて除去することが容易となる。
【００５７】
（効果５）吸引風路１３の途中に容器収容部５２を設けて、容器収容部５２にゴミ容器５１を着脱可能に収容できるようにしても良い。これにより、吸引風路１３から本体ケーシング１１内へ吸い込まれたゴミをゴミ容器５１に溜めておき、ゴミ容器５１がゴミで満杯になった時に本体ケーシング１１の蓋部５３を開けて容器収容部５２からゴミ容器５１を取り出してゴミを捨てることができるようになる。
【００５８】
そして、蓋部５３と容器収容部５２との間に、シール部材５４と、蓋部５３を閉じた時にシール部材５４が圧着するシール面５５とを有するシール部５６を備えるようにした、これにより、シール部５６で、容器収容部５２の密閉度を高めて吸引力の低下を防止することができる。
【００５９】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６０】
１      床面
２      フローリングワイパー
２ｂ    ワイパーヘッド
２ｂ１  側縁部
３      電動チリトリ
１１    本体ケーシング
１２    吸引装置
１３    吸引風路
１４    吸引口
２１    作動スイッチ
２２    取込口
３１    漸縮形状部
４１    掻取部
５１    ゴミ容器
５２    容器収容部
５３    蓋部
５４    シール部材
５５    シール面
５６    シール部
【図１】
2019088360.tif 000003
【図２】
2019088360.tif 000004
【図３】
2019088360.tif 000005
【図４】
2019088360.tif 000006
【図５】
2019088360.tif 000007
【図６】
2019088360.tif 000008
【図７】
2019088360.tif 000009